(57)【要約】【課題】液晶表示装置に表示された画像と装飾パネルに施された装飾画像との一体感を高めて且つ違和感無く表示させることで遊技の演出効果を向上させる。【解決手段】複数の識別情報がそれぞれに付与された複数のリールＤ１,Ｄ２,Ｄ３）を備えており、前側扉４の前面パネル６には、遊技機２における遊技に関する遊技情報を画像により表示する画像表示装置と、この画像表示装置に隣接して設けられた装飾パネルとが組み込まれている。また、装飾パネルには、各種の装飾画像が形成されていると共に、リールの識別情報を表示するための表示領域が設けられている。そして、各種の装飾画像を含む装飾パネル全体が、画像表示装置と同等の明るさで照明されるようになっている。【選択図】    図２
2005034525.tif 000002
【特許請求の範囲】
【請求項１】
複数の識別情報を有するリールを複数備えた遊技機であって、
前記遊技機における遊技に関する遊技情報を画像により表示する画像表示装置と、
前記画像表示装置に隣接して設けられ、前記リールの識別情報を表示するための表示領域が設けられた装飾パネルとを有し、
前記装飾パネルに装飾画像を形成し、該装飾画像を含む装飾パネル全体を前記画像表示装置と同等の明るさで照明することを特徴とする遊技機。
【請求項２】
前記装飾パネルは、
前記表示領域を除いてその前面に前記装飾画像が形成された透明な合成樹脂製シートと、
前記合成樹脂製シートの背面に配設され、光透過性を有する導光板とからなり、
前記画像表示装置は、液晶表示装置であって、少なくとも複数の画素がマトリクス状に配置され、前記画像を表示するための液晶パネルを有し、
該液晶パネル及び前記合成樹脂製シートの全面を、１つの面発光装置によって照明することを特徴とする請求項１に記載の遊技機。
【請求項３】
前記装飾パネルは、前記表示領域を除いてその前面に前記装飾画像が形成された透明な合成樹脂板であって、
前記合成樹脂板の端面へ光を出射する装飾画像用光源と、
前記表示領域に対応する領域に切欠部が形成されていると共に、前記合成樹脂板の背面に設けられ、前記合成樹脂板内部に入射した光を前記装飾画像へ向けて反射する反射板と、
によって前記装飾パネル全体を前記画像表示装置と同等の明るさで照明することを特徴とする請求項１に記載の遊技機。
【請求項４】
前記装飾パネルは、
前記表示領域を除いてその前面に前記装飾画像が形成された透明な合成樹脂製シートと、
前記合成樹脂製シートの背面に配設され、光透過性を有する導光板とからなり、
前記導光板の端面へ光を出射する装飾画像用光源と、
前記表示領域に対応する領域に切欠部が形成されていると共に、前記導光板の背面に設けられ、前記導光板内部に入射した光を前記装飾画像へ向けて反射する反射板と、
によって前記装飾パネル全体を前記画像表示装置と同等の明るさで照明することを特徴とする請求項１に記載の遊技機。
【請求項５】
前記画像表示装置は、液晶表示装置であって、
少なくとも、
複数の画素がマトリクス状に配置され、前記画像を表示するための液晶パネルと、
前記液晶パネル全面を照明するための液晶用面発光装置と、
を有し、
前記装飾画像用光源と前記液晶用面発光装置の光源とを１つの光源で兼用することを特徴とする請求項３又は４に記載の遊技機。
【発明の詳細な説明】
【技術分野】
【０００１】
本発明は、例えば前面パネルの上部側に液晶表示装置を、その下部側に装飾パネルを配置した遊技機に関し、特に、液晶表示装置に表示された画像と装飾パネルに施された装飾画像との一体感を高めて且つ違和感無く表示させることで遊技の演出効果を向上させることが可能な遊技機に関する。
【背景技術】
【０００２】
この種の遊技機としては、例えば特許文献１に示すように、遊技機筐体の前面パネルの上部側にリール表示窓が、その下部側に液晶表示器がそれぞれ設けられたスロットマシンが知られており、液晶表示器の周囲の前面パネルには、所定の装飾絵柄（モチーフ）が印刷されている。このようなスロットマシンでは、スタートレバーを操作してリールを回転させた際、入賞／非入賞の判定が行われ、その判定結果に基づいて、液晶表示器には、遊技者が「大当り」や「小当り」、「ハズレ」の発生を予想することができるような画像が表示される。
【０００３】
しかしながら、従来の遊技機において、液晶表示器に表示される画像と、この液晶表示器の周囲に印刷された各種の装飾絵柄との間で、色合いや色調、色の濃淡や明るさの度合い等について視覚的な差異があり、それが別体感や違和感となって表れる結果、遊技の演出効果が損なわれてしまうといった問題があった。
【特許文献１】特開平１１−２０６９６０号公報
【発明の開示】
【発明が解決しようとする課題】
【０００４】
本発明は、このような問題を解決するためになされており、その目的は、液晶表示装置に表示された画像と装飾パネルに施された装飾画像との一体感を高めて且つ違和感無く表示させることで遊技の演出効果を向上させることが可能な遊技機を提供することにある。
【課題を解決するための手段】
【０００５】
このような目的を達成するために、請求項１の発明は、複数の識別情報を有するリールを複数備えた遊技機であって、前記遊技機における遊技に関する遊技情報を画像により表示する画像表示装置と、前記画像表示装置に隣接して設けられ、前記リールの識別情報を表示するための表示領域が設けられた装飾パネルとを有し、前記装飾パネルに装飾画像を形成し、該装飾画像を含む装飾パネル全体を前記画像表示装置と同等の明るさで照明することを特徴とする。
この発明によれば、装飾画像を含む装飾パネル全体を画像表示装置と同等の明るさで照明することで、画像表示装置で表示する画像と装飾パネルの装飾画像との一体感を高めて且つ違和感無く表示させることができる。
請求項２の発明において、前記装飾パネルは、前記表示領域を除いてその前面に前記装飾画像が形成された透明な合成樹脂製シートと、前記合成樹脂製シートの背面に配設され、光透過性を有する導光板とからなり、前記画像表示装置は、液晶表示装置であって、少なくとも複数の画素がマトリクス状に配置され、前記画像を表示するための液晶パネルを有し、該液晶パネル及び前記合成樹脂製シートの全面を、１つの面発光装置によって照明することを特徴とする。
この発明によれば、液晶パネル及び装飾シートの全面を、１つの面発光装置によって照明することで、液晶パネルで表示する画像と装飾パネルの装飾画像との一体感を高めて且つ違和感無く表示させることができると共に、面発光装置を兼用することで製造コストの低減を図ることができる。
請求項３の発明において、前記装飾パネルは、前記表示領域を除いてその前面に前記装飾画像が形成された透明な合成樹脂板であって、前記合成樹脂板の端面へ光を出射する装飾画像用光源と、前記表示領域に対応する領域に切欠部が形成されていると共に、前記合成樹脂板の背面に設けられ、前記合成樹脂板内部に入射した光を前記装飾画像へ向けて反射する反射板と、によって前記装飾パネル全体を前記画像表示装置と同等の明るさで照明することを特徴とする。
この発明によれば、装飾画像が形成された装飾パネル全体を画像表示装置と同等の明るさで照明することで、画像表示装置で表示する画像と装飾パネルの装飾画像との一体感を高めて且つ違和感無く表示させることができる。
請求項４の発明において、前記装飾パネルは、前記表示領域を除いてその前面に前記装飾画像が形成された透明な合成樹脂製シートと、前記合成樹脂製シートの背面に配設され、光透過性を有する導光板とからなり、前記導光板の端面へ光を出射する装飾画像用光源と、前記表示領域に対応する領域に切欠部が形成されていると共に、前記導光板の背面に設けられ、前記導光板内部に入射した光を前記装飾画像へ向けて反射する反射板と、によって前記装飾パネル全体を前記画像表示装置と同等の明るさで照明することを特徴とする。
この発明によれば、装飾画像が形成された装飾パネル全体を画像表示装置と同等の明るさで照明することで、画像表示装置で表示する画像と装飾パネルの装飾画像との一体感を高めて且つ違和感無く表示させることができる。また、装飾パネルが合成樹脂製シートと導光板とにより構成されているため、遊技機を別の機種に変更する場合、合成樹脂製シートのみを交換し、導光板はそのまま変更後の遊技機においても使用することができ、機種変更時のコストを低減させることができる。
請求項５の発明において、前記画像表示装置は、液晶表示装置であって、少なくとも、複数の画素がマトリクス状に配置され、前記画像を表示するための液晶パネルと、前記液晶パネル全面を照明するための液晶用面発光装置とを有し、前記装飾画像用光源と前記液晶用面発光装置の光源とを１つの光源で兼用することを特徴とする。
この発明によれば、装飾画像用光源と液晶用面発光装置の光源とを１つの光源で兼用することで、製造コストの低減を図ることができる。
【発明の効果】
【０００６】
本発明によれば、液晶表示装置に表示された画像と装飾パネルに施された装飾画像との一体感を高めて且つ違和感無く表示させることで遊技の演出効果を向上させることが可能な遊技機を実現することができる。
【発明を実施するための最良の形態】
【０００７】
以下、本発明の第１の実施の形態に係る遊技機について、添付図面を参照して説明する。なお、以下の説明では、遊技機の一例としてパチスロを想定する。
図１に示すように、本実施の形態の遊技機（パチスロ）２は、複数の識別情報がそれぞれに付与された複数のリール（例えば、右リールＤ１、中リールＤ２、左リールＤ３）を備えており、前側扉４の前面パネル６には、遊技機２における遊技に関する遊技情報を画像により表示する例えば１７インチワイドの画像表示装置と、この画像表示装置に隣接して設けられた装飾パネルとが組み込まれている。また、装飾パネルには、各種の装飾画像が形成されていると共に、リールの識別情報（例えば図柄）を表示するための表示領域が設けられている。そして、各種の装飾画像を含む装飾パネル全体が、画像表示装置と同等の明るさで照明されるようになっている。
【０００８】
図１において、前面パネル６に対する画像表示装置及び装飾パネルの配置が明らかとなるように、画像表示装置が配置される領域を参照符号Ｆ１、装飾パネルが配置される領域を参照符号Ｆ２で示す。この場合、領域Ｆ１と領域Ｆ２との境界がＬ−Ｌ線で示されている。
Ｌ−Ｌ線で領域Ｆ１と領域Ｆ２とに分ける方法としては、上下２分割や左右２分割が考えられるが、ここでは、その一例として、Ｌ−Ｌ線を境に上下２分割する場合を想定する。なお、図１では、Ｌ−Ｌ線に対して上部側に領域Ｆ１、下部側に領域Ｆ２を規定しているが、これとは逆に、上部側に領域Ｆ２、下部側に領域Ｆ１を規定しても良い。
【０００９】
このような遊技機（パチスロ）２において、メダル投入口８に遊技メダル（図示しない）を投入しＢＥＴボタン１０を押した後、スタートレバー１２を操作すると、所定のタイミングで１個の乱数がサンプリングされ、その乱数に基づいて内部当選役が決定される。この間、画像表示装置において所定のゲームプログラムに従った画像（例えば内部当選役に対する画像等）が表示されると共に、装飾パネルのリール表示部Ｐ１,Ｐ２,Ｐ３に表示されている複数のリール（例えば、右リールＤ１、中リールＤ２、左リールＤ３）が回転し始める。そして、所望のタイミングで３個のストップボタンＢ１,Ｂ２,Ｂ３をそれぞれ押すと、それに同期して複数のリールＤ１,Ｄ２,Ｄ３の停止制御が行われる。このときリール表示部Ｐ１,Ｐ２,Ｐ３に表示された図柄（識別情報）の組み合わせによって、「大当り」や「小当り」又は「ハズレ」となる。ここで、「大当り」や「小当り」となったときは、四隅のスピーカ１４から当り状態を知らせるファンファーレが鳴ると共にランプ（図示しない）が点灯する。このとき、領域Ｆ１の画像表示装置には、本発明のゲームプログラムに従った当り演出画像が表示され、それと共に、当り内容に応じた数の遊技メダルがメダル払出口１６からメダル受部１８に払い出される。
なお、例えば「大当り」及び「小当り」の履歴情報や、遊技機の仕様に関する情報等は、選択・決定ボタンＳ１,Ｓ２を操作することで適宜表示することができる。また、Ｃ／Ｐスイッチ２０を操作することにより、獲得したメダルのクレジット／払出しを選択することができる。
【００１０】
本実施の形態において、領域Ｆ２に配置された装飾パネルは、リールＤ１,Ｄ２,Ｄ３に付与された複数の識別情報を表示する表示領域即ちリール表示部Ｐ１,Ｐ２,Ｐ３と、これらリール表示部Ｐ１,Ｐ２,Ｐ３の周囲に装飾画像（絵柄）が施された装飾部Ｍとを有している。このような装飾パネルは、透明な合成樹脂で形成されており、その全体が装飾画像用面発光装置で照明されるようになっている。
また、領域Ｆ１に配置された画像表示装置は、遊技機２における遊技に関する遊技情報を画像により表示する液晶表示装置であって、少なくとも、後述するような液晶パネル３４と、この液晶パネル３４の全面を照明するための液晶用面発光装置とを備えている。
【００１１】
装飾画像用及び液晶用面発光装置は、少なくとも、光源と、光源からの光を導入して面状に発光させる導光板と、導光板の一方側面に配置された反射板とを備えており、導光板から面状に発光した光は、反射板で導光板の他方側面に向けて反射（装飾画像に向けて反射、液晶パネル３４に向けて反射）される。
導光板は、透明な合成樹脂（例えばアクリル）で形成されており、その表面（反射板に対向した面）には、図示しない偏向パターン（複数の反射ドット）が施されている。なお、偏向パターンを導光板に施す方法としては、例えばチタン白(TiO２)や沈降性硫酸バリウム(BaSO４)などの光学的に吸収が無く反射率の高い顔料とアクリル系バインダを練り合わせた反射インクを例えばスクリーン印刷法によって塗布すれば良い。
このような偏向パターンが施された導光板によれば、光源から導光板の端面に導入された光は、導光板の中を全反射しながら進んでいくうちに、偏向パターン（複数の反射ドット）に当たって向きを変え、全反射角より小さくなった成分の光が導光板から面状に発光する。このときの発光方向は、導光板の一方側面に配置された反射板に向う方向と、逆に、導光板の他方側面に向う方向（装飾画像に向う方向、液晶パネル３４に向う方向）となる。
【００１２】
図２に示すように、本実施の形態において、面発光装置の導光板は、装飾パネル用導光板２４ａと液晶表示装置用導光板２４ｂとに分割されており、光源は、装飾パネル用導光板２４ａの左右両側にそれぞれ配置された装飾画像用光源即ち装飾パネル用蛍光管２６ａと、液晶表示装置用導光板２４ｂの左右両側にそれぞれ配置された液晶表示装置用蛍光管２６ｂとから構成されている。
また、反射板も、装飾パネル用反射板２８ａと液晶表示装置用反射板２８ｂとに分割されており、装飾パネル用反射板２８ａには、リール表示部Ｐ１,Ｐ２,Ｐ３に対応する領域に切欠部Ｑ１,Ｑ２,Ｑ３が形成されている。なお、反射板は、ポリエチレンテレフタレート(PET)樹脂やポリカーボネートなどの樹脂を微細発砲させて形成することができる。
【００１３】
装飾パネル用導光板２４ａの他方側面には、各種の装飾画像（絵柄）が施されており、その一部にリール表示部Ｐ１,Ｐ２,Ｐ３を構成するための透明領域（装飾絵柄が施されていない領域）Ｒ１,Ｒ２,Ｒ３が形成されている。この場合、装飾絵柄を施す方法としては、装飾パネル用導光板の他方側面に装飾絵柄を直接印刷する方法や、装飾絵柄が印刷された装飾シート（薄膜状フィルムを含む）を装飾パネル用導光板の他方側面に貼着する方法などを適用すれば良い。本実施の形態では、その一例として、装飾絵柄が印刷された装飾シート３０を適用する。
また、液晶表示装置用導光板２４ｂの他方側面には、白色で薄いプラスチック板状の拡散シート３２が設けられており、液晶表示装置用導光板２４ｂから面状に発光した光（液晶表示装置用反射板２８ｂから反射した光を含める）を拡散させて明るさを一様にして、後述する液晶パネル３４に向わせる。
【００１４】
装飾パネル用蛍光管２６ａ及び液晶表示装置用蛍光管２６ｂとしては、例えば熱陰極管や冷陰極管を適用することが可能であるが、冷陰極管は、電極にフィラメントが無いので構造が簡単で電極を小さくできることから、細径化に適している。この場合、冷陰極管を適用することによって装飾パネルや液晶表示装置の厚み寸法を薄肉化することが可能となり、遊技機のコンパクト化を図ることができる。従って、本実施の形態では、光源として冷陰極管を適用する。
なお、冷陰極管を駆動するためのインバーター回路は、副制御回路（図示しない）に構築することが可能であり、副制御回路は、主制御回路（図示しない）からの制御指令に基づいて、液晶表示装置を制御して遊技に関する各種画像（動画や静止画から成る演出画像）を表示する。
【００１５】
本実施の形態の液晶パネル３４は、複数の画素（図示しない）がマトリクス状に配置され、液晶パネル３４の大きさが１７インチワイドに設計されている。かかる液晶パネル３４は、液晶物質（図示しない）を２枚の薄いガラス板（図示しない）で挟み込んで形成されており、副制御回路で制御する場合、ガラス配線された電極に電荷を与えて液晶物質の向きを電流方向に変化させると、液晶パネル３４を透過する光の偏光方向を変化させることができ、これにより液晶パネル３４に表示させる各種画像（動画や静止画から成る演出画像）が制御される。
【００１６】
以上の構成において、装飾パネルは、装飾絵柄が施された装飾シート３０、装飾パネル用導光板２４ａ、装飾パネル用導光板２４ａの両側にそれぞれ配置された装飾パネル用冷陰極管２６ａ、リール表示部Ｐ１,Ｐ２,Ｐ３を構成するための切欠部Ｑ１,Ｑ２,Ｑ３が形成された装飾パネル用反射板２８ａによって構成されている。この場合、装飾パネル用導光板２４ａ、装飾パネル用冷陰極管２６ａ、装飾パネル用反射板２８ａによって装飾画像用面発光装置が構成される。
また、液晶表示装置は、液晶パネル３４、拡散シート３２、液晶表示装置用導光板２４ｂ、液晶表示装置用導光板２４ｂの両側にそれぞれ配置された液晶表示装置用冷陰極管２６ｂ、液晶表示装置用反射板２８ｂによって構成されている。この場合、液晶表示装置用導光板２４ｂ、液晶表示装置用冷陰極管２６ｂ、液晶表示装置用反射板２８ｂによって液晶用面発光装置が構成される。
これら装飾パネル及び液晶表示装置は、遊技機２の前面扉４の前面パネル６に組み付けられ、その前面側（遊技者側）には、保護パネル３６が配置されている。保護パネル３６は、透明な合成樹脂で形成されており、液晶パネル３４や装飾シート３０を保護している。なお、装飾パネルや液晶表示装置の前面パネル６への組付方法としては、例えば前面扉４の鍵穴２２に開閉鍵（図示しない）を入れて前面扉４を開いた状態で、その前面扉４の裏側から装飾パネルや液晶表示装置を組み付ければ良い。
【００１７】
装飾パネル及び液晶表示装置が前面パネル６に組み付けられた状態において、装飾パネル用冷陰極管２６ａからの光が装飾パネル用導光板２４ａに導入されると、この装飾パネル用導光板２４ａが面状に発光し、装飾絵柄が施された装飾シート３０の全体を照明（装飾パネル用反射板２８ａからの反射照明を含む）する。これにより、装飾絵柄が保護パネル３６を透過して前面パネル６の領域Ｆ２に表示される。
また、液晶表示装置用冷陰極管２６ｂからの光が液晶表示装置用導光板２４ｂに導入されると、この液晶表示装置用導光板２４ｂが面状に発光し、拡散シート３２を介して液晶パネル３４の全体を照明（液晶表示装置用反射板２８ｂからの反射照明を含む）する。これにより、動画や静止画から成る演出画像が保護パネル３６を透過して前面パネル６の領域Ｆ１に表示される。
【００１８】
以上、本実施の形態によれば、装飾パネル及び液晶表示装置を分離して、それぞれ別個の照明制御を行うようにしたことによって、装飾画像を含む装飾パネル全体を画像表示装置と同等の明るさで照明することができる。この結果、液晶表示装置に表示された画像と装飾パネルに施された装飾画像との一体感を高めて且つ違和感無く表示させることができ、遊技の演出効果を向上させることが可能となる。この場合、装飾パネル用冷陰極管２６ａ及び液晶表示装置用冷陰極管２６ｂを独立に制御して光量や光強度などを個別に増減変化させるだけで、照明光の明るさを個々に調整することができるため、液晶表示装置に表示される画像と装飾パネルに施された装飾絵柄との間で、色合いや色調、色の濃淡や明るさの度合い等について視覚的な差異を無くすることができる。
【００１９】
また、装飾パネル用導光板２４ａや液晶表示装置用導光板２４ｂにより面状に発光した光を照射することで、液晶表示装置に表示された画像と装飾パネルに施された装飾絵柄との明るさの斑を無くすることができる。
更に、導光板を装飾パネル用導光板２４ａと液晶表示装置用導光板２４ｂとに分割して構成したことにより、例えば装飾絵柄を変更する場合や機種を変更する場合でも、その変更作業が容易になり、作業コストの削減を図ることができる。
【００２０】
次に、本発明の第２の実施の形態に係る遊技機について、図３を参照して説明する。
本実施の形態の遊技機において、照明手段の導光板は、装飾パネル用導光板２４ａと液晶表示装置用導光板２４ｂとに分割されており、光源は、装飾パネル用導光板２４ａから液晶表示装置用導光板２４ｂに亘って延出した単体の液晶表示装置用蛍光管２６から構成されている。そして、この液晶表示装置用蛍光管２６が、装飾パネル用導光板２４ａ及び液晶表示装置用導光板２４ｂの両側にそれぞれ配置されている。
その他の構成は、上記第１の実施の形態と同一であるため、その説明は省略する。なお、第１及び第２の実施の形態において、互いに同一の構成には、同一符号を付してある。
本実施の形態によれば、単体の光源（液晶表示装置用蛍光管２６）を兼用したことにより、部品点数が削減され製造コストの低減を図ることができる。
【００２１】
次に、本発明の第３の実施の形態に係る遊技機について、図４を参照して説明する。
本実施の形態の遊技機において、面発光装置は、液晶パネル３４及び装飾シート３０の全体を面状に照明することができるように構成されている。この場合、導光板２４は、液晶パネル３４及び装飾シート３０の背面に、液晶パネル３４及び装飾シート３０全体に亘って面状に拡がっていると共に、光源は、導光板２４に沿って延出した単体の蛍光管即ち冷陰極管２６から構成され、この冷陰極管２６が導光板２４の両側にそれぞれ配置されている。
また、本実施の形態に適用した反射板２８や拡散シート３２も液晶パネル３４及び装飾シート３０全体に亘って面状に拡がっており、拡散シート３２には、リール表示部Ｐ１,Ｐ２,Ｐ３（図１参照）を構成するための切欠部Ｗ１,Ｗ２,Ｗ３が形成されている。
その他の構成は、上記第１及び第２の実施の形態と同一であるため、その説明は省略する。なお、第１〜第３の実施の形態において、相互に同一の構成には、同一符号を付してある。
本実施の形態によれば、単体の導光板２４、光源（冷陰極管）２６、反射板２８、拡散シート３２部品点数を大幅に削減できるため、更に製造コストの低減を図ることができる。
【００２２】
なお、本発明は、上述した第１〜第３の実施の形態に限定されることは無く、以下のように種々変更することができる。
第１〜第３の実施の形態では、それぞれ独立して形成された３つのリール表示部Ｐ１,Ｐ２,Ｐ３を例示したが、例えば３つをまとめて１つにし、横長のリール表示部を構成しても良い。
第１〜第３の実施の形態では、光源（冷陰極管）を導光体の左右両側に配置した例を示したが、例えば光源を導光体の上下両側に配置しても良い。この場合、第１の実施の形態において、装飾パネル用蛍光管２６ａを装飾パネル用導光板２４ａの下側に配置し、液晶表示装置用蛍光管２６ｂを液晶表示装置用導光板２４ｂの上側に配置すれば良い。
【産業上の利用可能性】
【００２３】
本発明は、パチスロをはじめとする遊技機だけで無く、液晶表示装置と装飾パネルとを組み合わせて成るような各種機器にも利用可能である。
【図面の簡単な説明】
【００２４】
【図１】本発明の第１の実施の形態に係る遊技機の正面図。
【図２】図１の遊技機に設けられた液晶表示装置と装飾パネルの分解斜視図。
【図３】本発明の第２の実施の形態に係る遊技機に設けられた液晶表示装置と装飾パネルの分解斜視図。
【図４】本発明の第３の実施の形態に係る遊技機に設けられた液晶表示装置と装飾パネルの分解斜視図。
【符号の説明】
【００２５】
Ｆ１  画像表示装置が配置される領域
Ｆ２  装飾パネルが配置される領域
Ｐ１,Ｐ２,Ｐ３  リール表示部
Ｍ  装飾部
２４ａ  装飾パネル用導光板
２４ｂ  液晶表示装置用導光板
２６ａ  装飾パネル用蛍光管（冷陰極管）
２６ｂ  液晶表示装置用蛍光管（冷陰極管）
【図１】
2005034525.tif 000003
【図２】
2005034525.tif 000004
【図３】
2005034525.tif 000005
【図４】
2005034525.tif 000006